(57)【要約】【課題】トリックプレイに際し、ユーザが再生中のファイルを削除する場合でも、トリックプレイの解除やプレイ対象曲の変更により、ユーザの期待が損なわれることがないようにする。また、ユーザが曲を最後まで聞いた後でその曲を削除するか否かを判断したい場合に便利な手段を提供する。【解決手段】記録媒体上に記録された削除可能なファイルに基づいて再生を行う再生装置において、トリックプレイで再生中のファイルを削除する旨の指示又はその指示に基づくファイルの削除がなされた場合にそのトリックプレイを継続するか否かの設定を受け入れるトリックプレイ継続設定手段を設ける。また、ファイルの削除を、削除の指示があった時点で行うか、又は該ファイルの再生が終了した時点で行うかの設定を受け入れる削除予約設定手段を設ける。【選択図】図４
2006155769.tif 000002
【特許請求の範囲】
【請求項１】
記録媒体上に記録された削除可能なファイルに基づいて再生を行う再生装置において、トリックプレイで再生中のファイルを削除する旨の指示又はその指示に基づくファイルの削除がなされた場合にそのトリックプレイを継続するか否かの設定を受け入れるトリックプレイ継続設定手段を具備することを特徴とする再生装置。
【請求項２】
前記ファイルの削除の指示又はその指示に基づくファイルの削除がなされたときに、前記設定に基づき、前記トリックプレイの継続又は解除を行う手段を有することを特徴とする請求項１に記載の再生装置。
【請求項３】
前記ファイルの削除を、該ファイルの再生が終了した時点で行う再生終了時削除手段を有することを特徴とする請求項１又は２に記載の再生装置。
【請求項４】
前記ファイルの削除を、削除の指示があった時点で行うか、又は該ファイルの再生が終了した時点で行うかの設定を受け入れる削除予約設定手段を有することを特徴とする請求項３に記載の再生装置。
【請求項５】
前記再生が終了した時点でのファイルの削除を実行する前に、本当に削除を実行するか否かの確認の指示を受け入れる手段を有することを特徴とする請求項３又は４に記載の再生装置。
【請求項６】
前記トリックプレイで再生中のファイルが変更された場合には、前記再生が終了した時点でのファイルの削除は行わないことを特徴とする請求項４又は５に記載の再生装置。
【請求項７】
前記トリックプレイを継続する旨の設定がなされている場合に、前記ファイルの削除の指示又は該指示に基づくファイルの削除が行われたとき、削除されたファイル以外のファイルを用いてトリックプレイの継続を行うことを特徴とする請求項１〜６のいずれか１項に記載の再生装置。
【請求項８】
前記トリックプレイが１曲リピート再生であり、前記トリックプレイを継続する旨の設定がなされている場合に、前記ファイルの削除の指示又は該指示に基づくファイルの削除が行われたとき、削除されたファイルの次のファイルを用いてトリックプレイの継続を行うことを特徴とする請求項１〜７のいずれか１項に記載の再生装置。
【請求項９】
記録媒体上に記録された削除可能なファイルに基づいて再生を行う再生装置において、再生中のファイルを削除する旨の指示がなされたとき、該ファイルの削除を、該ファイルの再生が終了した時点で実行する手段を具備することを特徴とする再生装置。
【請求項１０】
コンピュータを、請求項１〜９のいずれかの再生装置を構成する各手段として機能させることを特徴とする再生プログラム。
【請求項１１】
記録媒体上に記録された削除可能なファイルに基づいて再生を行う再生方法において、トリックプレイで再生中のファイルを削除する旨の指示又はその指示に基づくファイルの削除がなされた場合でもトリックプレイを継続するか否かの設定を受け入れる工程を具備することを特徴とする再生方法。
【請求項１２】
記録媒体上に記録された削除可能なファイルに基づいて再生を行う再生方法において、再生中のファイルを削除する旨の指示がなされたとき、該ファイルの削除を、該ファイルの再生が終了した時点で実行する工程を具備することを特徴とする再生方法。
【発明の詳細な説明】
【技術分野】
【０００１】
本発明は、記録媒体上に記録された削除可能なファイルに基づき再生を行う再生装置、再生プログラム、及び再生方法に関する。
【背景技術】
【０００２】
一般に、ハードディスク等に保存されている音声ファイルに基づき楽曲等の再生を行う装置においては、トリックプレイを行うモードを有している。トリックプレイとは、通常の再生とは異なるランダムプレイ、リピートプレイ、スキャンプレイ等の特殊な再生を意味する。
【０００３】
これらのトリックプレイにおいて、再生中の音声ファイルが削除されると、その後のトリックプレイに支障を来たす。そこで、従来、トリックプレイ中に当該ファイルがユーザによって削除された場合には、トリックプレイを解除するようにしている。あるいは、この代わりに、トリックプレイ中には当該ファイルが削除できないように、アクセス制限を設けるようにしている。あるいは、トリックプレイ中に当該ファイルを削除しようとすると、警告画面を表示し、当該ファイルを削除すると、トリックプレイが解除される旨の警告を表示するようにしている。
【０００４】
具体的には、たとえば、１曲リピートプレイ中にプレイ対象としている音声ファイルが削除されると、リピートプレイを解除するか、又は次の曲を対象としてリピートプレイを継続するようにしている。また、ランダムプレイ中に、プレイ対象としているフォルダ内のいずれかの楽曲の音声ファイルが削除されると、ランダムプレイを解除するようにしている。また、スキャンプレイ中に、スキャン対象としているフォルダ内のいずれかの楽曲の音声ファイルが削除されると、スキャンプレイを解除するようにしている。
【０００５】
なお、トリックプレイに関する先行技術としては、たとえば、映像信号の記録を行う際に、順方向可変速度再生及び逆方向可変速度再生用の２種類の符号化データを生成して記録し、各記録データを、それぞれ順方向可変速度再生及び逆方向可変速度再生に使用するようにした技術が知られている（たとえば、特許文献１参照）。また、記憶装置に記憶されているプログラムの通常再生用及び各種トリックプレイ用のデータの切替えに関する技術が特許文献２により開示されている。
【０００６】
また、記録媒体に記録されているデジタル映像音声データを再生する際に再生制御情報を作成して記憶手段に記憶し、記録媒体の再生終了後に発せられる任意の再生位置からのデータ再生再開指示により、記憶手段の再生制御情報を検索し、検索した再生制御情報に基づき、記録媒体の任意の再生位置からの再生を再開することができるようにした技術が知られている（たとえば、特許文献３参照）。
【特許文献１】特開平５−２９２４５８号公報
【特許文献２】特表平１１−５０２９８８号公報
【特許文献３】特開２００２−３４４９００号公報
【発明の開示】
【発明が解決しようとする課題】
【０００７】
しかしながら、上述のように、再生中の音声ファイルが削除されたことに基づいてトリックプレイを解除することは、その後のトリックプレイが行われなくなるので、その後もトリックプレイが継続されるだろうというユーザの期待を裏切ることになる。たとえば、１曲リピートプレイ中に、再生中の音声ファイルが削除された場合に、リピートプレイが解除されたり、リピートプレイの対象曲が次の曲に自動的に変更されたりすると、ユーザの期待が裏切られることになる。
【０００８】
また、ランダムプレイやスキャンプレイに際し、再生中の音声ファイルが削除されたことに基づいてプレイを解除すると、プレイ対象となっていたフォルダ内の全曲を聴く機会が、ユーザから奪われることになる。これを避け、プレイを続行させたい場合には、ユーザは削除する曲を一周管理テーブルから除外する操作を行わなければならない。
【０００９】
また、一旦、音声ファイルの削除操作を行ってしまうと、そのファイルの曲を最後まで聴くことができなくなるので、最後まで聞いた後で削除するか否かを判断したい場合に、不便であるという問題もある。
【００１０】
このような従来技術の問題点に鑑み、本発明の第１の目的は、記録媒体上に記録された削除可能なファイルに基づいて再生を行う際に、トリックプレイに際し、ユーザが再生中のファイルを削除する場合でも、トリックプレイの解除やプレイ対象曲の変更により、ユーザの期待が損なわれることがないようにすることにある。
【００１１】
また、本発明の第２の目的は、記録媒体上に記録された削除可能なファイルに基づいて再生を行う際に、ユーザが曲を最後まで聞いた後でその曲を削除するか否かを判断したい場合に便利な手段を提供することにある。
【課題を解決するための手段】
【００１２】
上記第１の目的を達成するため、本発明の再生装置は、記録媒体上に記録された削除可能なファイルに基づいて再生を行う再生装置において、トリックプレイで再生中のファイルを削除する旨の指示又はその指示に基づくファイルの削除がなされた場合にそのトリックプレイを継続するか否かの設定を受け入れるトリックプレイ継続設定手段を具備することを特徴とする。
【００１３】
ここで、記録媒体としては、たとえば、ハードディスク、ＣＤ−Ｒ、ＣＤ−ＲＷ、ＤＶＤ＋ＲＷ／＋Ｒ、ＤＶＤ−Ｒ／ＲＷが該当する。ファイルとしてはたとえば、ＷＡＶＥ、ＷＭＡ、ＭＰＥＧ、ＡＶＩ等の各形式によるファイルが該当する。トリックプレイとしては、たとえば、ランダムプレイ、リピートプレイ、スキャンプレイ、早送り再生、早戻し再生、スロー再生が該当する。
【００１４】
従来、トリックプレイで再生中のファイルを削除する旨の指示があった場合には、該ファイルを削除してトリックプレイを解除し、又はトリックプレイが１曲リピート再生であれば次のファイルを用いて自動的に１曲リピート再生を継続するようにしていた。このため、トリックプレイが中断したり、意図しない曲についてリピート再生が行われたりしてユーザの期待が損われるおそれがあった。
【００１５】
これに対し、本発明によれば、ユーザはトリックプレイ継続設定手段によって、トリックプレイで再生中のファイルを削除してもトリックプレイを継続するか否かを設定することができるので、期待が損われるのを回避することができる。
【００１６】
第２の発明に係る再生装置は、第１発明において、前記ファイルの削除の指示又はその指示に基づくファイルの削除がなされたときに、トリックプレイ継続設定手段による設定内容に基づき、トリックプレイの継続又は解除を行う手段を有することを特徴とする。
【００１７】
第３の発明に係る再生装置は、第１又は第２発明において、指示されたファイルの削除を、該ファイルの再生が終了した時点で行う再生終了時削除手段を有することを特徴とする。
【００１８】
第４の発明に係る再生装置は、第３発明において、指示されたファイルの削除を、削除の指示があった時点で行うか、又は該ファイルの再生が終了した時点で行うかの設定を受け入れる削除予約設定手段を有することを特徴とする。
【００１９】
第５の発明に係る再生装置は、第３又は第４発明において、前記再生が終了した時点でのファイルの削除を実行する前に、本当に削除を実行するか否かの確認の指示を受け入れる手段を有することを特徴とする。
【００２０】
第６の発明に係る再生装置は、第４又は第５発明において、トリックプレイで再生中のファイルが変更された場合には、再生が終了した時点でのファイルの削除は行わないことを特徴とする。
【００２１】
第７の発明に係る再生装置は、第１〜第６のいずれかの発明において、トリックプレイを継続する旨の設定がなされている場合に、ファイルの削除の指示又は該指示に基づくファイルの削除が行われたとき、削除されたファイル以外のファイルを用いてトリックプレイの継続を行うことを特徴とする。
【００２２】
第８の発明に係る再生装置は、第１〜第７のいずれかの発明において、トリックプレイが１曲リピート再生であり、トリックプレイを継続する旨の設定がなされている場合に、ファイルの削除の指示又は該指示に基づくファイルの削除が行われたとき、削除されたファイルの次のファイルを用いてトリックプレイの継続を行うことを特徴とする。
【００２３】
第９の発明に係る再生装置は、上述の第２の目的を達成するため、記録媒体上に記録された削除可能なファイルに基づいて再生を行う再生装置において、再生中のファイルを削除する旨の指示がなされたとき、該ファイルの削除を、該ファイルの再生が終了した時点で実行する手段を具備することを特徴とする。
【００２４】
第１０の発明に係る再生プログラムは、コンピュータを、第１〜第９のいずれかの再生装置を構成する各手段として機能させることを特徴とする。
【００２５】
第１１の発明に係る再生方法は、上述の第１の目的を達成するため、記録媒体上に記録された削除可能なファイルに基づいて再生を行う再生方法において、トリックプレイで再生中のファイルを削除する旨の指示又はその指示に基づくファイルの削除がなされた場合でもトリックプレイを継続するか否かの設定を受け入れる工程を具備することを特徴とする。
【００２６】
第１２の発明に係る再生方法は、上述の第２の目的を達成するため、記録媒体上に記録された削除可能なファイルに基づいて再生を行う再生方法において、再生中のファイルを削除する旨の指示がなされたとき、該ファイルの削除を、該ファイルの再生が終了した時点で実行する工程を具備することを特徴とする。
【発明の効果】
【００２７】
本発明によれば、トリックプレイで再生中のファイルを削除する場合でも、トリックプレイを支障なく継続させるように設定を行うことができる。また、再生結果を最後まで視聴した後でその再生したファイルを削除するか否かを最終的に判断することができる。
【発明を実施するための最良の形態】
【００２８】
図１は本発明の一実施形態に係る再生装置の構成を示すブロック図である。この装置は同図に示すように、装置各部の制御やデータ処理を行うメイン・マイコン１、ハードディスクに記録されている音声データに基づき楽曲の再生を行うとともに、表示用の情報をメイン・マイコン１に受け渡すハードディスク・ディバイス２、ユーザの指示に基づく設定データ等を記憶するための記憶部３、メイン・マイコン１からの指令に基づき、ユーザに提供する情報の表示を行う表示部４、及びユーザがメイン・マイコン１に対し入力操作を行うための入力部５を備える。
【００２９】
ハードディスクへ記録される音声データは、ＭＰ３やＷＡＶＥ等の音声ファイルの形式を有する。ユーザによる入力操作には、トリックプレイの開始や解除、音声ファイルの削除等の従来の操作に加え、トリックプレイ継続の設定や削除予約の設定をオン・オフする操作等が含まれる。
【００３０】
トリックプレイ継続の設定とは、トリックプレイにおいて再生中の楽曲の音声ファイルが削除される場合でも、トリックプレイを解除することなく継続するか否かの設定を意味する。削除予約の設定とは、トリックプレイにおいて再生中の楽曲の音声ファイルを削除する旨の指示があった場合、その削除を直ちに実行することなく、再生が終了してから行うか否かについての設定を意味する。
【００３１】
トリックプレイには、１曲リピートプレイ、ランダムプレイ、スキャンプレイ等が含まれる。表示部４における表示には、トリックプレイの状態や、タイムコード等の再生状態に関する表示が含まれる。記憶部３はＲＡＭ等によって構成することができ、その記憶内容には、トリックプレイ継続や削除予約についての設定内容に関する情報が含まれる。
【００３２】
図２は、メイン・マイコン１が行う処理の一部（以下、「第１処理」という。）を示すフローチャートである。この第１処理は、トリックプレイを行っている期間中、所定間隔で繰り返される。
【００３３】
第１処理を開始すると、まず、ステップ２１において、トリックプレイを解除するか否かを判定する。たとえば、ユーザによりトリックプレイを解除する操作やディスクを交換する操作等が行われた場合には、トリックプレイを解除する旨の判定がなされる。トリックプレイを解除する旨の判定を行った場合にはステップ２２へ進み、解除しない旨の判定を行った場合にはステップ２３へ進む。
【００３４】
ステップ２２では、トリックプレイを解除して通常の再生モードへ移行し、第１処理を終了する。通常の再生モードに移行すると、今までトリックプレイモードで再生していた曲の次の曲から順次再生されることになる。次の曲としては、たとえば今までトリックプレイにより再生していた曲が存在するフォルダや再生リストのインデックスにおける次の曲が該当する。
【００３５】
ステップ２３では、演奏曲を削除する操作が行われたか否かを判定する。削除操作が行われなかったと判定した場合は第１処理を終了する。削除操作が行われたと判定した場合にはステップ２４へ進み、削除予約の設定がオンとなっているか又はオフとなっているかの判定を行う。削除予約設定がオンであると判定した場合には、再生中の演奏曲（以下、この曲の音声ファイルの名称を「曲Ａ」という。）の音声ファイルを削除することなくステップ２５へ進み、削除予約フラグをオンに設定し、「曲Ａ」を記憶して、第１処理を終了する。処理終了後も曲Ａの再生は続行される。
【００３６】
ステップ２４において、削除予約設定がオフであると判定した場合には、ステップ２６へ進み、トリックプレイ継続設定がオンとなっているか否かを判定する。トリックプレイ継続設定がオフであると判定した場合は、ステップ２７へ進み、曲Ａの音声ファイルを削除してトリックプレイを解除するとともに、次の曲から通常の再生を開始し、第１処理を終了する。次の曲としては、たとえば今までトリックプレイにより再生していた曲が存在するフォルダや再生リストのインデックスにおける次の曲が該当する。
【００３７】
ステップ２６において、トリックプレイ継続設定がオンであると判定した場合には、ステップ２８へ進み、曲Ａの音声ファイルを削除して、第１処理を終了する。処理終了後もトリックプレイは続行される。つまり、たとえばトリックプレイが１曲リピート再生である場合は、次の曲について１曲リピート再生が継続される。トリックプレイがランダム再生である場合は、次にランダムに選択された曲が再生されることになる。
【００３８】
図３はメイン・マイコン１が行う処理の別の一部（以下、「第２処理」という。）を示すフローチャートである。第２処理も、第１処理とともに、トリックプレイを行っている期間中、所定間隔で繰り返される。
【００３９】
第２処理を開始すると、まず、ステップ３１において、トリックプレイを解除するか否かを判定する。たとえば、ユーザによりトリックプレイを解除する操作等が行われた場合には、トリックプレイを解除する旨の判定がなされる。トリックプレイを解除しない旨の判定を行った場合にはステップ３３へ進む。トリックプレイを解除する旨の判定を行った場合にはステップ３２において、トリックプレイを解除し、通常の再生モードへ移行した後、第２処理を終了する。
【００４０】
ステップ３３では、トラックアップ等の操作によってトリックプレイの対象曲や対象フォルダの変更がなされたか否かを判定する。対象の変更がなされたと判定した場合には、ステップ３４において削除予約フラグをオフに設定し、図２のステップ２５で行った「曲Ａ」の記憶を破棄して、第２処理を終了する。トリックプレイは対象変更後の曲を用いて継続される。
【００４１】
ステップ３３において対象の変更がなされなかったと判定した場合にはステップ３５に進み、曲Ａの再生が終了し、かつ削除予約フラグがオンであるか否かを判定する。判定結果が否定的である場合には第２処理を終了する。トリックプレイはそのまま続行されることになる。判定結果が肯定的である場合には、ステップ３６へ進み、削除予約フラグをオフに設定し、「曲Ａ」の記憶を破棄して、ステップ３７へ進む。
【００４２】
ステップ３７では、曲Ａを本当に削除してよいか否かの指示を求めるメッセージを表示部４に表示してユーザの指示を受け入れ、指示内容に基づき、曲Ａの削除を行うか否かを判定する。この間、次の曲についての再生動作は一時停止する。このように削除の確認を求めるようにしたのは、ユーザは、曲Ａを聞き終わった時点では、曲Ａを削除する意思がなくなっている可能性もあるからである。
【００４３】
ステップ３７において曲Ａの削除を行わないと判定した場合にはステップ３９に進む。ステップ３７において曲Ａの削除を行うと判定した場合には、ステップ３８において曲Ａの削除を行い、その後、ステップ３９に進む。ステップ３９では、トリックプレイ継続設定がオンであるか否かを判定する。設定がオンの場合には第２処理を終了する。
【００４４】
この場合、トリックプレイは継続されることになる。つまり、たとえばトリックプレイが１曲リピート再生である場合は、次の曲について１曲リピート再生が継続される。トリックプレイがランダム再生である場合は、次にランダムに選択された曲が再生されることになる。
【００４５】
ステップ３９において、トリックプレイ継続設定がオフであると判定した場合には、ステップ４０においてトリックプレイを解除し、通常の再生モードに移行して、第２処理を終了する。通常の再生モードに移行すると、曲Ａの次の曲から再生が開始されることになる。
【００４６】
図４はトリックプレイ継続設定及び削除予約設定についての設定画面を示す。同図（ａ）〜（ｄ）では異なる設定状態にある設定画面が示されている。すなわちトリックプレイ継続設定及び削除予約設定についての設定状態は、同図（ａ）の画面では双方ともオン、同図（ｂ）の画面ではそれぞれオフ及びオン、同図（ｃ）の画面ではそれぞれオン及びオフ、そして同図（ｄ）の画面では双方ともにオフとなっている。各設定状態において、ハードディスクに格納されているトラック３の楽曲が再生され、トリックプレイとして１曲リピート再生が行われているとすれば、上述の図２及び図３の処理によれば、ユーザによる操作に応じ、再生装置は次のように動作する。
【００４７】
すなわち、同図（ａ）の設定状態の場合、ユーザがトラック３を削除する操作を行うと、削除予約モードがオンであるため、トラック３の削除は、直ちには実行されずに（ステップ２３、２４、２５）、予約された形となり、トラック３の再生終了時に行われることになる（ステップ３８）。したがって、ユーザはトラック３の楽曲を最後まで聴くことができる。ただし、ユーザが、１曲リピート再生の対象をトラック３の楽曲から他の曲に変更すると、トラック３の削除予約は無効となり（ステップ３３、３４）、削除は実行されなくなる。
【００４８】
トラック３の再生が終了すると、再生が一時停止され、削除意思を確認するメッセージが表示されるので、ユーザはトラック３の削除の実行又は撤回を指示することができる（ステップ３７）。削除の実行又は撤回のいずれの場合でも、トリックプレイ継続モードがオンであるため、次のトラック４について１曲リピート再生が開始されることになる。
【００４９】
一方、同図（ｂ）の設定の場合、ユーザがトラック３を削除する操作を行うと、削除予約モードがオンであるため、トラック３の削除は、直ちには実行されず（ステップ２３、２４、２５）、予約された形となり、トラック３の再生終了時に行われることになる（ステップ３８）。したがって、ユーザはトラック３を最後まで聴くことができる。ただし、ユーザが、１曲リピート再生の対象をトラック３の楽曲から他の曲に変更すると、トラック３の削除予約は無効となり（ステップ３３、３４）、削除は実行されなくなる。
【００５０】
トラック３の再生が終了すると、再生が一時停止され、削除意思を確認するメッセージが表示されるので、ユーザはトラック３の削除の実行又は撤回を指示することができる（ステップ３７）。削除の実行又は撤回のいずれの場合でも、トリックプレイ継続モードがオフであるため、１曲リピート再生は解除され、通常再生に移行し、次のトラック４から通常再生が開始されることになる。
【００５１】
また、同図（ｃ）の設定の場合には、ユーザがトラック３を削除する操作を行うと、削除予約モードがオフであるため、トラック３の削除は直ちに実行される（ステップ２３、２４、２７、２８）。そして、トリックプレイ継続モードがオンであるため、１曲リピート再生は、次のトラック４を対象として継続される（ステップ２８）。
【００５２】
また、同図（ｄ）の設定の場合には、ユーザがトラック３を削除する操作を行うと、削除予約モードがオフであるため、削除は直ちに実行される（ステップ２３、２４、２７、２８）。そして、トリックプレイ継続モードがオフであるため、１曲リピート再生は解除され、通常再生に移行し、次のトラック４からが再生が開始される。
【００５３】
ところで、ランダムプレイやスキャンプレイを行う場合には、一度再生した曲については、プレイ対象の全曲について再生が完了するまで、再生対象から除外する、一周管理が行われる。たとえば、プレイ対象のトラックがトラック１〜５の５つあるとすれば、ランダムプレイの場合、トラック番号でみて３→１→５→２→４のように再生され、スキャンプレイの場合には３→４→５→１→２のように再生されるというように、各トラックにつき１回ずつ再生を行い、全対象トラックについて一巡してから、次の一巡についての再生が行われる。
【００５４】
図５はランダムプレイ継続及び削除予約ついての設定画面を示す。同図では、ランダムプレイ継続の設定がオン、削除予約の設定がオフとなっている。この場合、ユーザがトラック３を再生してランダムプレイを開始した後、ユーザが聴取中の曲を削除する操作を行うと、削除予約設定がオフであるため、削除は直ちに実行され、トラック４の再生が開始される（ステップ２３、２４、２６、２８）。つまり、ランダムプレイ継続設定がオンであるため、トラック４からランダムプレイが継続される。
【００５５】
図６はスキャンプレイ継続及び削除予約についての設定画面を示す。同図では、スキャンプレイ継続の設定がオン、削除予約の設定がオフとなっている。この場合、ユーザがトラック３を再生してスキャンプレイを開始した後、ユーザが聴取中の曲を削除する操作を行うと、削除予約設定がオフであるため、削除は直ちに実行され（ステップ２３、２４、２６、２８）、トラック４の再生が開始される。つまり、スキャンプレイ継続設定がオンであるため、トラック４からスキャンプレイが継続される。
【００５６】
以上の本実施形態によれば、トリックプレイ継続をオン又はオフに設定することによって、トリックプレイモードで再生中の曲を削除する場合にトリックプレイを継続させるか否かを予め決定することができる。
【００５７】
また、トリックプレイ継続をオンに設定しておくことにより、聴取中の曲を削除した場合でも、次の曲からトリックプレイが継続されるので、再度トリックプレイの設定を行う手間を省くことができる。
【００５８】
また、削除予約をオン又はオフに設定することによって、トリックモードで再生中の曲を削除する場合に、削除を直ちに行うか又はその曲の再生終了後に行うかを予め決定することができる。
【００５９】
また、削除予約の設定がオンの場合、削除対象の曲について再生が終了し、削除を実行するときに、削除の意思を再確認するようにしたため、削除する意思を喪失した場合に、削除を中止することができる。
【００６０】
なお、本発明は上述実施形態に限定されることなく、適宜変形して実施することができる。たとえば、上述においては、ハードディスクに格納された音声ファイルを対象として再生する場合について述べたが、この代わりに、ＤＶＤに記録されているＭＰＥＧファイルを対象として再生する場合についても本発明を適用することができる。
【００６１】
また、上述においては、トリックプレイとして、１曲リピートプレイ、ランダムプレイ、スキャンプレイを行う場合について述べたが、この代わりに、早送り再生等の他のトリックプレイを行う場合にも、本発明を適用することができる。
【図面の簡単な説明】
【００６２】
【図１】本発明の一実施形態に係る再生装置の構成を示すブロック図である。
【図２】メイン・マイコン１が行う第１処理を示すフローチャートである。
【図３】メイン・マイコン１が行う第２処理を示すフローチャートである。
【図４】トリックプレイ継続設定及び削除予約設定についての設定画面を示す図である。
【図５】ランダムプレイ継続及び削除予約ついての設定画面を示す図である。
【図６】スキャンプレイ継続及び削除予約についての設定画面を示す図である。
【符号の説明】
【００６３】
１：メイン・マイコン、２：ハードディスク・ディバイス、３：記憶部、４：表示部、５：入力部。
【図１】
2006155769.tif 000003
【図２】
2006155769.tif 000004
【図３】
2006155769.tif 000005
【図４】
2006155769.tif 000006
【図５】
2006155769.tif 000007
【図６】
2006155769.tif 000008